(57)【要約】【課題】ビール醸造工場に見られたような製函機と中仕切機の２工程の作業を１工程で可能にする。また、上記の製函機と中仕切機の２工程の作業を１工程で可能にするような包装箱の組み立て方法を提供する。【解決手段】シート状材料を打ち抜いて形成した扁平なブランクを立体的な箱に組み立て、その箱の内部に複数個の容器の中間製品を収納するとともに、容器の中間製品には後工程にて内容物を充填する方法において、ブランクの内部に、仕切り枠を交差状態で組み付けておき、その仕切り枠を組み付けたブランクを、製函機を用いて、箱に組み立てたときに、内部の仕切り枠が拡がり、複数箇所の区画が形成されるようにする。【選択図】          なし【特許請求の範囲】
【請求項１】
シート状材料を打ち抜いて形成したブランクを箱に組み立て、その箱の内部に複数個の容器の中間製品を収納するとともに、容器の中間製品には後工程にて内容物を充填する方法において、ブランクの内部に、仕切り枠を交差状態で組み付けておき、その仕切り枠を組み付けたブランクを、製函機を用いて、箱に組み立てたときに、内部の仕切り枠が拡がり、複数箇所の区画が形成されるようにしたことを特徴とする包装箱組み立て方法。
【請求項２】
ブランクは６面体の箱を組み立てるためのもので、箱の４周を形成する４側面と、４側面の下部に折り曲げ線にて夫々連接した下面と、４側面の上部に折り曲げ線にて夫々連接した上面とから成り、仕切り枠は、上記４側面の隣接する２側面の等分位置に一端を取り付けた２枚以上より成り、夫々の他端はどこにも固定することなくフリーとし、かつ２枚以上の仕切り枠の等分位置にて交差することにより、ブランクを箱に組み立てるのとほぼ同時に、交差部を支点として直交状に拡がり、４箇所以上の区画が形成されるようにした請求項１記載の包装箱組み立て方法。
【請求項３】
ブランクは、段ボール紙より成るシート状材料を打ち抜いて形成したもので、ブランクの４側面と下面を用いて箱に組み立て、その箱の内部に複数個の容器の中間製品を収納し、この状態にて製函部から、容器の中間製品に内容物を充填する工程へ運搬することを可能にした請求項２記載の包装箱組み立て方法。
【発明の詳細な説明】
【技術分野】
【０００１】
本発明は、シート状材料を打ち抜いて形成したブランクを箱に組み立て、その箱の内部に複数個の容器の中間製品を収納するとともに、容器の中間製品には後工程にて内容物を充填する包装箱組み立て方法に関するものである。
【背景技術】
【０００２】
例えば、ビールのような飲料を缶や樽のような容器に充填する場合、アルミニウム等を材料とする容器の製造工場と、ビールなどの醸造工場とは離れているため、容器を醸造工場へ運搬することになる。容器は作り置きが可能であるから、ビール工場の倉庫に保管して置けば良いと考えられがちであるが、それでは保管場所も入り、出し入れの手間もかかり、汚れや損傷などの問題も起こるので、醸造工場の需要に応じて容器を搬入するシステムが行なわれている。特にビールのように、新鮮さを失わないように、出来立てのビールを速やかに出荷する必要性が高い商品では、上記のようなシステムが有効である。この場合、缶やたるなどの容器は、蓋がされない半製品に状態で醸造工場へ搬入され、ビールなどの充填と同時にパッケージングされることになるが、醸造工場へ搬入する工程では、段ボール製の包装箱にあらかじめ収められているのが、通常の形態である。
【０００３】
そのために、従来のビール工場では、図８に示すように、ラインに、段ボール製の包装箱の半製品を箱に組み立てる製函機を設置している。包装箱には、殆どの場合複数個の缶や樽を詰めるので、それらの間に配置する仕切りを入れる必要もあり、このために従来のラインには、中仕切機と称する装置を、製函機に続けて配置する必要があった。すなわち製函機と呼ばれる自動機で段ボール製の包装箱を組み立て、その後に中仕切機と呼ばれる自動機で中仕切りを組み立てて、包装箱の中に挿入するものである。従って、包装箱の組み立てに２台の自動機を稼動させる必要があり、限られたラインにおける設備の簡略化が求められた。
【０００４】
これに対する従来の箱詰め技術には、段ボール箱の組み立て装置として、例えば特開２００５−１３８８７１号などがあり、中仕切挿入に関するものとして例えば特開２００５−８３９９号などがある。しかしこれらは、上記の目的に適用しても、良い結果を得られるとは思われない。
【０００５】
【特許文献１】２００５−１３８８７１号
【特許文献２】２００５−８３９９号
【発明の開示】
【発明が解決しようとする課題】
【０００６】
本発明は前記の点に着目してなされたものであり、その課題は、前記のビール醸造工場に見られたような製函機と中仕切機の２工程の作業を１工程で可能にすることである。また本発明の他の課題は、上記の製函機と中仕切機の２工程の作業を１工程で可能にするような包装箱の組み立て方法を提供することである。
【課題を解決するための手段】
【０００７】
前記の課題を解決するため、本発明は、シート状材料を打ち抜いて形成したブランクを箱に組み立て、その箱の内部に複数個の容器の中間製品を収納するとともに、容器の中間製品には後工程にて内容物を充填する方法において、ブランクの内部に、仕切り枠を交差状態で組み付けておき、その仕切り枠を組み付けたブランクを、製函機を用いて、箱に組み立てたときに、内部の仕切り枠が拡がり、複数箇所の区画が形成されるようにするという手段を講じたものである。
【０００８】
本発明の適用される段階では、収めるべき容器が、内容物を充填していない中間製品の状態にあるので、本発明に係る方法によって組み立てられた包装箱も、箱を閉じない半完成の状態が最終形になる。本発明を適用する工程上の段階において、シート状材料を打ち抜いて形成したブランクは打ち抜いたものを折り曲げ、かつ必要部分が接続された状態にあるものとし、そのものを製函機において、立体の箱に組み立てるものである。
【０００９】
ブランクは６面体の箱を組み立てるためのもので、箱の４周を形成する４側面と、４側面の下部に折り曲げ線にて夫々連接した下面と、４側面の上部に折り曲げ線にて夫々連接した上面とから成る構造を有していることが望ましい。この場合、箱の４周を形成する４側面は、全て等長であれば正方形の平面形状を有する包装箱となり、対向２側面が等長であれば長方形の平面形状を有するものとなる。
【００１０】
ブランクの内部に、仕切り枠を交差状態で組み付けて置き、その仕切り枠を組み付けたブランクを、製函機を用いて、箱に組み立てたときに、内部の仕切り枠が拡がり、複数箇所の区画が形成されるようにする。この要件は、本発明を適用する工程上の段階において必要とされる条件である。仕切り枠は、包装箱の内部を複数の区画に分けるものであるので、箱の４周を形成する４側面よりも短めの寸法を有し、上記４側面とほぼ平行になる配置になるように、その一側辺において箱の内側面に取り付けられる。
【００１１】
仕切り枠は、交差状態でブランクの内部に取り付けられているので、箱に組み立てるのと同時に、内部の仕切り枠も拡がり、所定の区画を形成することになる。仕切り枠は、その一側辺に、いわゆる糊代に相当する折り曲げ部分を設けて、箱の内側面に取り付けられるが、その糊代に相当する折り曲げ部分と仕切り枠の部分の作る折曲げ角度が、箱に組み立てる前はほぼ１８０度に近く、箱に組み立てて仕切り枠となった状態でほぼ９０度になるようにすると、無理なく畳まれ、かつ拡げられるようになる。
【００１２】
本発明の場合、仕切り枠は、上記４側面の隣接する２側面の等分位置に一端を取り付けた２枚以上より成り、夫々の他端はどこにも固定することなくフリーとし、かつ２枚以上の仕切り枠の等分位置にて交差することにより、ブランクを箱に組み立てるのとほぼ同時に、交差部を支点として直交状に拡がり、４箇所以上の区画が形成されるように構成することができる。この構成によって得られる最小の包装箱では、縦横２個の仕切り枠が拡がって、計４箇所の区画が形成されることになる。しかし、区画の数を必要に応じて増減できることは言うまでもない。
【００１３】
本発明に適用するブランクとしては、段ボール紙より成るシート状材料を打ち抜いて形成したものを使用し、ブランクの４側面と下面を用いて箱に組み立てて、その箱の内部に複数個の容器の中間製品を収納するようにし、この状態にて製函部から、容器の中間製品に内容物を充填する工程へ運搬するものとすることができる。本発明をビールに適用する場合において、段ボール紙はショックを良く吸収するので、シート状材料の代表的なものとなる。
【発明の効果】
【００１４】
本発明は以上のように構成されかつ作用するものであるから、交差状態で仕切り枠を組み付けてあるブランクを、製函機を用いて、箱に組み立てたときに、内部の仕切り枠が自動で拡がり、複数箇所の区画が形成されるので、ビール醸造工場に見られたような製函機と中仕切機の２工程の作業を１工程で可能にすることが可能になる。また、本発明によれば、上記の製函機と中仕切機の２工程の作業を１工程で可能にするような包装箱の組み立て方法を提供することができるという効果を奏する。
【発明を実施するための最良の形態】
【００１５】
以下図示の実施形態を参照しつつ本発明をより詳細に説明する。図１は、本発明に係る包装箱組み立て方法の実施に直接使用する包装箱の例１である。
【００１６】
包装箱の構成
例１の包装箱１０は、図２に示したシート状材料を打ち抜いて形成したブランク１１を箱に組み立て、その箱の内部に複数個の容器の中間製品１２を収納するものである。図示のブランク１１は、段ボール紙より成るシート状材料１３を打ち抜いて形成した、６面体の箱を組み立てるためのもので、箱の４周を形成する４側面１４、１５、１６、１７と、４側面の下部に折り曲げ線にて夫々連接した下面１８、１９、２０、２１と、４側面の上部に折り曲げ線にて夫々連接した上面２２、２３、２４、２５とから成る構造を有し、両端の側面１４、１７を糊代部２６により接続した状態で前工程から製函機に供給される。例１の箱の４周を形成する４側面１４〜１７は、全て等長である。図２参照。
【００１７】
この包装箱１０の内部には、複数個の仕切り枠２７・・・が交差状態で組み付けられている。図示の仕切り枠は、上記４側面１４〜１７の隣接する２側面１５、１６の等分位置に一端２７ａ、２８ａを取り付けた２枚２７、２８より成り、夫々の他端２７ｂ、２８ｂはどこにも固定することなくフリーとされ、かつ両仕切り枠の等分位置２７ｃ、２８ｃに設けた、上下方向の切込みを噛み合わせて交差させた構成を有する。このため、両仕切り枠２７、２８は上記交差点において開閉可能になっている。図４参照。
【００１８】
包装箱の組み立て方法
このような包装箱１０を組み立てるラインは、図８に示された従来のライン構成から中仕切機を取り除いたものとするが、製函機は、従来通りのもので良い。ブランク１１は、両端の側面１４、１７を糊代部２６により接続し、かつ扁平にされて、前述したように、糊代に相当する折り曲げ部分２７ａ、２８ａと仕切り枠２７、２８の部分の作る折曲げ角度が、ほぼ１８０度近い、図３に示された状態で、前工程から搬入され、製函機に供給される。製函機では、図３に示された状態のブランクを、図４に示すように開いて立体化するとともに、下面１８、１９、２０、２１を折り曲げ線にて夫々内方へ折り曲げる作業を行なう。これにより、包装箱１０は立体化され、かつ、それと同時に、内部の２枚の仕切り枠２７、２８が交差部を支点として直交状に拡がり、４箇所の区画２９、３０、３１、３２が形成される。図５参照。
【００１９】
これにより、最終形の箱を閉じない半完成の状態としての包装箱１０が完成する。図１参照。包装箱の４箇所の区画２９〜３２には容器の中間製品１２が収められるが、これらの容器の中間製品１２には、後工程にて内容物を充填する。その際、容器の中間製品１２は、一旦包装箱から取り出されて、印字機により、例えば醸造工場や賞味期限などが印字され、或いは洗浄機により洗浄がなされ、充填機によりビールが充填されるとともに密封処理されることになる。かくして、製品となったビールはその後包装箱に収められ、その段階で、最終的に箱が閉じられるものである。
【００２０】
上記の説明では、２枚の仕切り枠により４箇所の区画が形成された包装箱の組み立て方法だけに言及したが、区画の数を増やしても、組み立て方法は全く変わらない。例えば、図６、図７に、３枚の仕切り枠により６箇所の区画が形成された包装箱１０′を示すように、上記４側面１４、１５′、１６、１７′の隣接する２側面の３等分位置と２等分位置に、夫々の一端を取り付けた２枚の仕切り枠２７、２７′及び１枚の長仕切り枠２８′より成り、夫々の他端はどこにも固定することなくフリーとし、かつ２枚の仕切り枠の３等分位置と、１枚の仕切り枠の２等分位置にて交差させることにより、ブランク１１′を箱に組み立てるのとほぼ同時に、交差部を支点として直交状に拡がり、６箇所の区画２９、３０、３１、３２、３３、３４が形成されるようにした構成により、実施することができる。なお、図６、図７に示した包装箱１０′は、例１と共通する構成については符号を援用し、詳細な説明を省略するが、本発明の例２になるものである。
【００２１】
本発明は上記のような内容を有しており、交差状に仕切り枠を組み付けたブランクを製缶機に供給し、半完成の包装箱に組み立てることが容易であるから、例えばビール用缶ないし樽などの複数個の容器の中間製品を収納し、醸造工場へ輸送する工程に最適である。ビ−ル工場では、容器の中間製品を半完成の包装箱から取り出し、印字、洗浄、充填等の作業を行い、半完成の包装箱に戻して製函することができる。また、容器の中間製品を出し入れするときに内部の仕切り枠が一緒に抜け出してしまうことがなく、また、常に一定の位置にて包装箱内部を仕切り、缶や樽を入れる区画を一定の大きさに保つので、缶や樽を入れ易いという利点もある。
【図面の簡単な説明】
【００２２】
【図１】本発明に係る包装箱組み立て方法に使用する包装箱の例１を示す斜視図。
【図２】同上の包装箱のブランクの展開図。
【図３】同じくブランクの側面の両端を接続し、扁平にした状態の上面説明図。
【図４】図３のものをやや開いた状態を示す上面説明図。
【図５】図３のものを完全に開いた状態を示す上面説明図。
【図６】本発明に係る包装箱組み立て方法に使用する、包装箱の例２を示す上面説明図。
【図７】図６のものを完全に開いた状態を示す上面説明図。
【図８】包装箱の半製品を箱に組み立てる、製函機を設置したラインの例を示す説明図。
【符号の説明】
【００２３】
１０、１０′  包装箱
１１、１１′  ブランク
１２  容器の中間製品
１３  シート状材料
１４、１５、１５′、１６、１７、１７′  箱の４周を形成する４側面
１８、１９、２０、２１  下面
２２、２３、２４、２５  上面
２６  糊代部
２７、２７′、２８、２８′  仕切り枠
２９、３０、３１、３２、３３、３４  区画
【図１】
2008207495.tif 000002
【図２】
2008207495.tif 000003
【図３】
2008207495.tif 000004
【図４】
2008207495.tif 000005
【図５】
2008207495.tif 000006
【図６】
2008207495.tif 000007
【図７】
2008207495.tif 000008
【図８】
2008207495.tif 000009